(57)【要約】【課題】  手洗いシンクなどの、シンクの上部に取り付けられた液体洗剤の給液装置の容器は、大きくすることが難しい。【解決手段】  シンク４の下部に大型の液体洗剤容器６２を設置し、連結管６５の上部は吸い込みパイプ１ａが嵌合する径で中空管が形成され、下部は吸い込みパイプ６１ａが嵌合する径で中空管が形成されている。  今、給液中であるポンプ１を上に引き抜けば、蓋アジャスター６６とともに、吸い込みパイプ１ａも連結管から引き抜かれるので洗剤補充口６５ｆが現出し液の補充可能となる。  吸い込みパイプ６１ａは給液用の他、補充用としても使用する。【選択図】図７
2006239322.tif 000002
【特許請求の範囲】
【請求項１】
手押しポンプをシンク等の基盤に取り付ける給液装置において、「中空の連結管（５、１５、３５、４５、５５）をシンク（４）の取付開口部（４ａ）に挿通して取り付け」、「前記連結管（５、１５、３５、４５、５５）の下部は、液体洗剤を入れる洗剤容器（２、１２、３２、４２、５２）に連結している」、「前記連結管（５、１５、３５、４５、５５）の上部は、下部より口径が大きく洗剤補充口（５ｆ）を形成している」、「前記連結管（５、１５、３５、４５、５５）上部にかぶせる部材として、ポンプ（１）を取り付けた蓋アジャスター（６、１６、３６、４６、５６）を使用する」、「前記ポンプ（１）の吸い込み管（１ａ）を前記連結管（５、１５、３５、４５、５５）の中を通し、前記洗剤容器（２、１２、３２、４２、５２）に連通させた」給液装置。
【請求項２】
手押しポンプをシンク等の基盤に取り付ける給液装置において、「中空の連結管（６５）をシンク（４）の取付開口部（４ａ）に挿通して取り付けるか、又は連結管（７５）をシンク（４）の上に置き」、「前記連結管（６５、７５）の下部から吸い込み管（６１ａ、７１ａ）を液体洗剤を入れる洗剤容器（６２、７２）に連通させ」、「前記連結管（６５、７５）の上部は洗剤補充口（５ｆ）を形成している」、「前記連結管（６５、７５）上部にかぶせる部材として、ポンプ（１）を取り付けた蓋アジャスター（６６、７６）を使用する］、「前記ポンプ（１）の液の吸い込み部（１ａ、１ａ）と、前記洗剤容器（６２、７２）に連通する吸い込み管（６１ａ、７１ａ）を気密的に結合した」給液装置。
【請求項３】
手押しポンプをシンク等の基盤に取り付ける給液装置において、「中空の連結管（８５）をシンク（４）の取付開口部（４ａ）に挿通させ」、「前記連結管（８５）の上部にポンプ（１）を取り付け」、「前記連結管（８５）の下部は洗剤容器（８２）に連結し」、「液の補充に使用するパイプである補充管（８５ｅ）を、前記連結管（８５）又は前記洗剤容器（８２）又は前記連結管（８５）と前記洗剤容器（８２）の接続具であるつなぎパイプ（８２ａ）のいずれかに取り付けた」給液装置。
【請求項４】
手押しポンプをシンク等の基盤に取り付ける給液装置において、「中空の連結管（９５）をシンク（４）の取付開口部（４ａ）に挿通させ」、「前記連結管（９５）の上部にポンプ（１）を取り付け」、「前記連結管（９５）の下部は洗剤容器（９２）に連結し」、液の吸い込み部である吸い込み管（９１ａ）に、液補充のためにポンプ（１）を引き抜いた時などに前記ポンプ（１）を置くか係止するため、「吸い込み管（９１ａ）の一部分以上を曲げ可能な管にするか又は引き抜いた状態を保持するための係止部（３１ｂ、９１ｂ）を構成するかのいずれかにした」給液装置。
【請求項５】
手押しポンプをシンク等の基盤に取り付ける給液装置において、「詰め替え用洗剤の袋や容器を収納しうる程度の大きい口部をもった洗剤容器（２２）を」、「シンク（４）の取付開口部（２４ａ）に挿通設置し」、「前記洗剤容器（２２）の蓋である容器の蓋（２２ｂ）の裏側に洗剤吸い上げ用の吸い込み管（２１ａ）を取り付け、表側にはポンプ（１）を取り付け」、「前記ポンプ（１）の洗剤吸い上げ部と前記吸い込み管（２１ａ）を連結した」給液装置。
【請求項６】
「シンク（４）の取付開口部（４ａ）を挿通できる程度に、洗剤容器（１２、６２、９２）の首部を長く形成して容器首部（１２ａ、６２ａ、９２ａ）が中空の連結管の代用となる」請求項１から４記載の給液装置。
【請求項７】
「蓋アジャスター（１６、４６、５６、８６）へ取り付けたポンプ（１）が、傾斜して又は横向きにして連結管（１５、４５、５５、８５）に取り付けられた」請求項１から５記載の給液装置。
【請求項８】
「連結管上部（３５、５５、７５）にかぶせる部材としての蓋アジャスター（３６、５６、７６）がポンプ付きボトルの形状をしている」請求項１から５記載の給液装置。
【請求項９】
「連結管（４５）又は吸い込み管（６１ａ）の中空内を通る棒状の浮き（４９ａ、６９ａ）をもつ」請求項１、２又は４記載の給液装置。
【請求項１０】
連結管（６５、７５）上部の洗剤補充口（５ｆ）の口径が、前記連結管（６５、７５）下部より大きくした請求項２記載の給液装置。
【請求項１１】
連結管（６５）の洗剤補充口（５ｆ）の如く、連結管（６５）の中心からポンプ（１）の吐出口（１ｂ）に向けたの径がほかの径より短径であるように洗剤補充口（５ｆ）を設けた請求項１又は１０記載の給液装置。
【請求項１２】
「ポンプ（１）の液の吸い込み部である吸い込み管（１ａ）の一部分以上を曲げ可能な管にする」か、又は「引き抜いた状態を保持するための係止具（１１ｂ、３１ｂ）を構成する」かのいずれかである請求項１記載の給液装置。
【請求項１３】
吸い込み管（１ａ、９１ａ）の端部に逆止弁（１０１ｂ）を構成した請求項１、３、４又は５記載の給液装置。
【請求項１４】
液溜まり（１１ｇ）の如く吸い込み管（１ａ）を変形させた位置周辺の部材を、外部から見て液の存在が判別できる程度に透明にした、又はポンプ首管（１１ｆ）を透明にした請求項１から５記載の給液装置。
【請求項１５】
ポンプ付きボトル支持するためのボトルホルダー（５５ｃ）を、シンク（４）の取付開口部（４ａ）を挿通固定させた棒状部材で支持したボトル支持器。
【発明の詳細な説明】
【技術分野】
【０００１】
本発明は、手洗いや食器洗いに必要な液体洗剤の供給を、シンク（流し台）に取り付けた手押しポンプにてなそうとするものである。  手押しポンプは「液体洗剤」のみならずリンスやアルコールなどにも使用できるので「溶液」の名称が適当と思われるが、ここでは「洗剤」で述べている。
【背景技術】
【０００２】
手押しポンプをシンクに取り付けて、給液装置をつくる考え方は従来からあり、洗剤容器を床に置いた場合は大型の容器を置くことができるが、場所をとるなど問題点がある。  また、シンクの下部に取り付ければ場所をとらずすっきりするが、洗剤の補充がしにくくなるなどの問題点がある。  容器をシンクに取り付け補充も簡単にできるというのが理想形である。
【特許文献１】特開平８−５２０８９
【発明の開示】
【発明が解決しようとする課題】
【０００３】
従来、トイレなどの洗面化粧用の手洗いシンクに設置された液体洗剤供給具は、容器が小型のため補充の頻度が多くなりがちであった。  そのため補充を楽にするための又は補充をしなくてもすむためのあらゆる方策を課題とするが、主として洗剤容器をシンク下方に設置するため、手押しポンプで洗剤を汲み上げる方式での課題が中心となっている。
【０００４】
本発明では、より大型の洗剤容器を使用するにはどうしたらよいか、洗剤容器のシンクへの取り付けの形状や構造の改善、洗剤補充の手間や時間の省力化や操作のし易さのなどはどうするか（洗剤補充口の形状、パイプの太さや補充のタイミング、詰め替え用パックや詰め替えボトルの取り扱い、ポンプ付きボトルをそのまま使用する方法）、給液装置の故障や破損時の対策、ポンプ取り付けの形状や構造の改善、ポンプと洗剤容器を連結するときに介在させる連結管の形状や構造の改善、洗剤容器の形状や構造の改善、洗剤補充口の形状や構造の改善、洗剤の吸い上げパイプの形状や構造の改善、複数の給液装置を設置する時の形状や構造の改善、手押しポンプを使用する洗剤供給装置を組立てるための簡単な方法や部材の供給方法など、以上いずれかのいくつかを解決する。
【課題を解決するための手段】
【０００５】
洗剤容器を大型化する、洗剤容器はシンクの下部に取り付ける、洗剤の補充口を大きくする又広く使う、詰め替えパックや詰め替え容器を詰め替えずにそのまま使用する、洗剤容器の首部を長く形成して連結管の代用として使用する、ポンプを斜めに取り付けて操作しやすくする、給液用と補充用のパイプを一本にするなどの方法をとる。
【発明の効果】
【０００６】
洗剤補充口を大きくできたので補充がしやすい、洗剤容器が大型化し補充の頻度が改善、洗剤容器をシンクに取り付け床の汚れや掃除などのじゃまにならない、給液用と補充用のパイプが一本になり調理用棚などへの取り付けにも対応。
【発明を実施するための最良の形態】
【０００７】
発明の実施の形態を実施例にもとずき図面を参照して説明する。
【実施例１】
【０００８】
図１において、シンク４は台所や洗面所の流し台又はそれに延設された基盤であるが、その開孔部である取付開口部４ａに中空の連結管を取り付け、連結管を介してポンプ１と洗剤容器２を連結させる。  使用する部材は、洗剤容器２に連結するための下部連結管５ａと、前記連結管をシンク４に挟圧固定するためのナット５ｃ、洗剤の補充口になる上部連結管５ｂ、前記上部連結管５ｂとポンプ１を連結するための蓋アジャスター６である。  この蓋アジャスター６のバリエーションにより、ポンプの取り付け方などの課題の解決に対応する。
【０００９】
上部連結管５ｂは、洗剤の補充がしやすいように下部連結管５ａより口径が大きくなっているが、これが本発明のポイントのひとつである。  仮に、上部連結管５ｂが下部連結管５ａと同じ口径で、上部連結管５ｂの上にくる蓋アジャスター６の上部の口径が大きく構成されて洗剤補充口となる場合は、蓋アジャスター６が実質上の上部連結管であると考えられる。
【００１０】
洗剤の補充はヒンジ６ｂを基点に蓋アジャスター６を回動させ、補充口５ｆを現出させて行う。  あとはポンプ１の、バネで反動する頭部を手で何回か押し込めば吸い込み管１ａより洗剤が吸い込まれ、頭部の吐出口１ｂから吐出される。
【００１１】
吸い込み管１ａは、柔軟なホースのように曲がる材質を使用することでヒンジ６ｂを基点に回動させることができるが、曲がらない材質では前記ヒンジはつけず、片手で蓋アジャスター６を持ち上げ、もう一方の片手で補充するようにする。
【００１２】
ポンプ１の取り付け部位については、ポンプが上部連結管５ｂに直接取り付けられた時は、洗剤補充口５ｆが狭くなり液の補充はできなくはないがしずらい。  これに対しポンプを別の部材（この場合は蓋アジャスター６）に取り付ければ、洗剤補充口５ｆがそのままそっくり使用できるので補充しやすい。  洗剤容器２を床に設置するときは連結管５と前記容器を液補充用のホース（パイプ）で連結する。
【実施例２】
【００１３】
図２では、容器１２の首部である容器首部１２ａが長く形成され、上部連結管１５ｂを前記容器首部にネジ込めば、前記容器首部は下部連結管１５ａとして、連結管の役割をもたせることができる。
【００１４】
図のようにポンプ１を傾斜して取り付けることで洗剤の吐出口の下方が広くなり、吐出された洗剤を手に受けやすく、また親指でポンプの頭を押し、手のひらに洗剤を受けることで片手で操作できる。  図ではポンプ押し１１ｃが取り付けられているが、これは指あて部１１ｄが略垂直になっているのでさらに押しやすくなっている。
【００１５】
液溜まり１１ｇは、吸い込み管１ａの膨大部であり、普段はここに液がある状態であるが、液溜まりを設けた位置周辺の部材（図の場合は吸い込み管１ａ、上部連結管１５ｂ、蓋アジャスター１６）が半透明以上（着色液など条件しだい）であれば、外部から見た時、液切れではないことがすぐわかる長所がある。  その他、膨大部に代えて螺旋状にする、連結管等から外に透明管で引き出し再び戻す、ポンプの首管１１ｆを透明管にするなどの液の表示方法がある。  蓋アジャスター１６を持ち上げて洗剤の補充をする時、吸い込み管１ａが曲がりにくいものであるときは係止具１ｂを取り付けることにより、補充口５ｆの周口部に係止させることで、両手を使用することなく補充できる。
【実施例３】
【００１６】
図３は、シンク４の大きい取付開口部２４ａに洗剤容器２２を入れて取り付け、容器の蓋２２ｂにはシンクの排水部近辺の周辺部位置に連結管２５を介してポンプ１を取り付け、連結ホース２１ｂにて、前記蓋下部の略中央に設けた吸い込 みパイプ２１ａとポンプ１を連結したものである。  調節パイプ２１ｃは前記吸い込みパイプの長さを調節する。
【００１７】
洗剤容器２２は、袋状の洗剤の詰め替えパックや詰め替え容器が入る大きさをもつので、パックの封を切って吸い込みパイプ２１ａをパックの中に入れるように蓋をすればパックの液を詰め替えることなくそのまま使用できる。
【００１８】
連結管２５は、斜めや横向き、またポンプ付きボトルの形状にできるなど蓋アジャスター２６でもある。
【実施例４】
【００１９】
図４の蓋アジャスター３６は、ソープディスペンサーとしての一般市販品のポンプ付きボトル（ポンプ付き容器洗剤）の底部分を切りとった形状であり底部は全面開口の形になっている。  連結管３５は上部も下部も一体形成されている。
【００２０】
洗剤を補充する時は、ポンプ１のついた蓋アジャスター３６を上に持ち上げて、連結管３５上端のラインである点線で示した山型ラインの端に移動させれば、ラインが山型のため上方にはずれにくいので蓋アジャスター３６はその位置で係止されるが、係止部３１ｂはその意味である。  山型ラインに限らず段差や突起などを形成してもよい。  蓋アジャスター３６が係止されれば洗剤補充口５ｆが出現し液の補充ができる。  吸い込み管１ａが曲がるパイプである時は、ポンプ１を倒して置くことができるので係止の必要はない。
【００２１】
ポンプ１や蓋アジャスター３６が故障、破損した時は一般市販品のポンプ付きボトルで代替しやすいメリットがある。
【実施例５】
【００２２】
図５は、ポンプ１を横向きにして取り付けた例である。  上部連結管４５ｂに開口された洗剤補充口５ｆで洗剤補充する。  この図の例では上部連結管４５ｂは蓋アジャスターともとれるが、実質的に連結管であると考えられる。  液の補充時は、比重の小さい材質でできている浮き４９ａを見ることで洗剤容器４２の中の洗剤の分量を判断できる。
【実施例６】
【００２３】
図６は、連結管５５にＬ型の部材であるボトルホルダー５５ｃを斜めに取り付け、該ボトルホルダーの上にポンプ付きボトルの形状をした蓋アジャスター５６を保持したものである。  蓋アジャスターの底は吸い込み管１ａが通る開孔である底開口部５６ｂがあり、連結管５５の上部は口径が大きく洗剤補充口５ｆが構成されている。
【００２４】
ポンプ１や蓋アジャスター５６が故障、破損した時は一般市販品のポンプ付きボトルで代替できるメリットがある。  ボトルホルダー５５ｃは特に斜めに取り付ける必要はなく、また、形状もＬ型に限らず各種とり得る。  連結管５５を図５の上部連結管４５ｂの如く横に延ばしてその先のボトルホルダーを取り付ければ、手洗い槽の上などの通常では置くことのできない位置にポンプをセットすることができる。  給液装置として使用せずに、ポンプ付きボトルの支持器としても使用できるが、その時は当然、連結管５５は中空である必要はない。
【実施例７】
【００２５】
図７の下部連結管６５ａ（洗剤容器６２の首部６２ａを代用）は、管アダプター６５ｄにより嵌合部６５ｃが設けられ、吸い込み管１ａが嵌合する中空部が形成されている。  今、ポンプ１を上に引き抜けば、吸い込み管１ａも連結管から引き抜かれるので洗剤補充口５ｆから液の補充ができる。  したがって吸い込み管６１ａは給液用の他、液の補充用としても使用できることになる。  洗剤補充口５ｆが全部広く使える。
【００２６】
吸い込み管６１ａに細い棒状の浮き６９ａを入れることにより、液補充の満タンを判断できる。  洗剤補充口５ｆの中心位置をずらしてあるが、これは吐出口の下方の空間を広げ、洗剤を手に受けやすくするためであるが、補充口が略楕円形の時は短径の方を吐出口に合わせるようにする。  嵌合部の構成は、吸い込み管１ａとポンプ本体部１ｂ、又はポンプ本体部１ｂと連結管との嵌合にすることもできる。
【００２７】
給液、補充がパイプ一本のみでよいので連結管６５と洗剤容器６２は連結している必要はなく、洗剤容器６２はシンクに吊り下げたり床に置いたり自由にできる。
【実施例８】
【００２８】
図８は連結管７５と吸い込み管１ａが点線でかかれた嵌合部７５ｃの位置から離れていて嵌合していない状態であるが、蓋アジャスター７６をネジ込むことにより、ポンプ１のポンプフランジ部７１ａと連結管７５に設けられた段部７５ａとが気密性をもって閉められて吸い込み管１ａの周りは気密室の状態になり、ポンプ１を押すことにより液を吸い上げ吐出させることができる。
【００２９】
この例では下部連結管を使用していないので（取り付けることもできる）、取付開口部４ａには複数の吸い込み管７１ａを通すことができるので、シンク上にも複数の連結管７５、すなわち給液装置を設置することができる。  図では袋状の洗剤容器をフック７２ａにかけ、容器の底にある容器口と吸い込み管７１ａの端部を着脱自在に連結する様子の図である。
【実施例９】
【００３０】
図９は、洗剤補充を、つなぎパイプ８２ａに設けられた補充管８５ｅの洗剤補充口８５ｆにて実施する例である。  補充管８５ｅは連結管８５や洗剤容器８２に取り付けることもできる。
【実施例１０】
【００３１】
図１０は、連結管９５の上部、下部の口径が同じ例である。  連結管の上部が洗剤補充口となっているが、ポンプ１を引き抜いて洗剤を補充するとき、取付開口部４ａに吸い込み管１ａを係止するための係止具９１ｂが設けられているが、別の方法として吸い込み管１ａを柔軟なホースにしたり、また吸い込み管１ａの一部を蛇腹管９１ｃなどにして曲げ可能にすればポンプ１を置いた状態にできるので係止具は必要ない。
【実施例１１】
【００３２】
図１１は、ホースの先端に取り付ける逆止弁の例である。  ポンプを押すことにより吸い込み管１０１ａから液が吸い上げられる時、ボール１０１ｃが上がることにより弁容器１０１ｄ内に液が吸い込まれ、吸入が終わるとボール１０１ｃは自重により再び弁容器１０１ｄの口を閉じる。  逆止弁１０１ｂをつけることにより、洗剤液の補充時など、ホースの先端が液面から離れた時でも液の落下を防ぎ、再使用に迅速に対応する。
【図面の簡単な説明】
【００３３】
【図１】連結管使用の本発明の断面図。
【図２】洗剤容器とポンプの螺合による給液装置の断面図。
【図３】広口容器による給液装置の断面図。
【図４】洗剤容器型の給液装置の断面図。
【図５】ポンプを斜めにした給液装置の断面図。
【図６】柔軟なシートによる漏斗形状の洗剤補充口の断面図
【図７】給液管と補充管を同一管で実施する例１の断面図
【図８】給液管と補充管を同一管で実施する例２の断面図
【図９】専用の補充管を設けた例の断面図
【図１０】洗剤補充口を広げない例の断面図
【図１１】逆止弁の例の断面図
【符号の説明】
【００３４】
１  ポンプ
２、１２、２２、３２、４２、５２、６２、７２  洗剤容器
４  シンク
４ａ  取付開口部
５、１５、２５、３５、４５、５５、６５、７５  連結管
５ｆ、１５ｆ、４５ｆ  洗剤補充口
６、１６、３６、４６、５６、６６、７６  蓋アジャスター
【図１】
2006239322.tif 000003
【図２】
2006239322.tif 000004
【図３】
2006239322.tif 000005
【図４】
2006239322.tif 000006
【図５】
2006239322.tif 000007
【図６】
2006239322.tif 000008
【図７】
2006239322.tif 000009
【図８】
2006239322.tif 000010
【図９】
2006239322.tif 000011
【図１０】
2006239322.tif 000012
【図１１】
2006239322.tif 000013